(57)【要約】【解決手段】バッテリー電力供給のための認証方法は、固有キャリア識別子に対応し且つ電力供給装置（２）と通信可能であるキャリア装置（１）により実行され、前記電力供給装置（２）は、少なくとも１つのキャリア装置に対応する、少なくとも１つの参照キャリア識別子を記憶する。該認証方法は、前記キャリア装置（１）のキャリアマイクロコントローラ（１３）により、前記キャリア装置の前記固有キャリア識別子と、前記電力供給装置（２）内に記憶されている前記参照キャリア識別子と、に関連する認証結果に基づいて、該電力供給装置（２）の認証が成功したか否かを判定することと、前記キャリアマイクロコントローラ（１３）により、前記電力供給装置（２０）の前記認証が成功したと判定された際、前記キャリア装置（１）を制御して前記電力供給装置（２）が提供する電気エネルギーを利用して作動するようにすることと、を特徴とする。【選択図】図４
2019187231.tif 000002
【特許請求の範囲】
【請求項１】
キャリア装置（１）により実行される、バッテリー電力供給のための認証方法であって、前記キャリア装置（１）は、固有キャリア識別子に対応し、キャリアマイクロコントローラ（１３）を備え、且つ電力供給装置（２）と通信可能であり、前記電力供給装置（２）は、少なくとも１つのキャリア装置に対応する、少なくとも１つの参照キャリア識別子を記憶しており、
該認証方法は、
（Ａ）キャリアマイクロコントローラ（１３）により、前記キャリア装置の前記固有キャリア識別子と、前記電力供給装置（２）内に記憶されている前記少なくとも１つの参照キャリア識別子と、に関連する認証結果に基づいて、該電力供給装置（２）の認証が成功したか否かを判定するステップと、
（Ｂ）前記キャリアマイクロコントローラ（１３）により、前記電力供給装置（２０）の前記認証が成功したと判定された際、前記キャリア装置（１）を制御して、前記電力供給装置（２）が提供する電気エネルギーを利用して作動するようにするステップと、
を特徴とする、認証方法。
【請求項２】
ステップ（Ａ）は、
（Ａ−１）前記キャリアマイクロコントローラ（１３）により、前記固有キャリア識別子を前記電力供給装置（２）に送信して、前記電力供給装置（２）が、前記固有キャリア識別子が前記少なくとも１つの参照キャリア識別子のうちの１つと一致するか否かを判定することで、前記認証結果を生成して、該認証結果を前記キャリア装置（１）に送信することができるようにするサブステップと、
（Ａ−２）前記キャリアマイクロコントローラ（１３）により、前記認証結果に基づいて、前記電力供給装置（２）の前記認証が成功したか否かを判定するサブステップと、
を含んでいる、ことを特徴とする請求項１に記載の認証方法。
【請求項３】
ステップ（Ａ）は、
（Ａ−１）前記キャリアマイクロコントローラ（１３）により、前記少なくとも１つの参照キャリア識別子に関連付けられるデータに対する要求を、前記電力供給装置（２）に送信して、前記電力供給装置（２）が、該電力供給装置（２）内に記憶される前記少なくとも１つの参照キャリア識別子を前記キャリア装置（１）に送信できるようにさせるサブステップと、
（Ａ−２）前記キャリアマイクロコントローラ（１３）により、前記電力供給装置（２）から前記少なくとも１つの参照キャリア識別子を受信した後に、前記キャリア装置（１）の前記固有キャリア識別子が、前記少なくとも１つの参照キャリア識別子のうちの１つとが一致するか否かを判定して、前記認証結果を生成するサブステップと、
を含んでいる、ことを特徴とする請求項１に記載の認証方法。
【請求項４】
ステップ（Ｂ）は、前記キャリアマイクロコントローラ（１３）により、前記電力供給装置（２）の前記認証が成功したと判定された際、電力供給指令を前記電力供給装置（２）に送信して、前記電力供給装置（２）が電気エネルギーを前記キャリア装置（１）に供給できるようにするサブステップを含んでいる、ことを特徴とする請求項１に記載の認証方法。
【請求項５】
前記キャリア装置（１）は、前記キャリアマイクロコントローラ（１３）に電気的に接続される電力コントローラ（１２）を更に備えており、
該認証方法において、
ステップ（Ｂ）では、前記電力供給装置（２）の前記認証が成功したと判定された際には、前記キャリアマイクロコントローラ（１３）により、前記電力コントローラ（１２）を制御して、前記キャリア装置（１）と前記電力供給装置（２）との間で電気エネルギーを送るための電気的接続を構築して、構築された前記電気的接続を介して前記電力供給装置（２）が前記キャリア装置（１）に電気エネルギーを送ることができるようにする、ことを特徴とする請求項１に記載の認証方法。
【請求項６】
バッテリー電力供給のためのシステム（１００）であって、キャリア装置（１）と電力供給装置（２）とを備えており、
前記キャリア装置（１）は、固有キャリア識別子に対応し、且つキャリアマイクロコントローラ（１３）を備えており、
前記電力供給装置（２）は、前記キャリア装置（１）と通信可能であり、且つ
電気エネルギーを提供するよう構成されるバッテリー（２１）と、
少なくとも１つのキャリア装置に対応する少なくとも１つの参照キャリア識別子を記憶するよう構成される記憶媒体（２２）と、
前記バッテリー（２１）と前記記憶媒体（２２）とに電気的に接続されるバッテリーマイクロコントローラ（２３）と、
を備えており、
前記キャリアマイクロコントローラ（１３）は、前記キャリア装置の前記固有キャリア識別子と、前記電力供給装置（２）の前記記憶媒体（２２）内に記憶されている前記少なくとも１つの参照キャリア識別子と、に関連する認証結果に基づいて、該電力供給装置（２）の認証が成功したか否かを判定すると共に、前記電力供給装置（２０）の前記認証が成功したと判定された際、前記キャリア装置（１）を制御して、前記電力供給装置（２）が提供する電気エネルギーを利用して作動するよう構成されている、ことを特徴するシステム。
【請求項７】
前記キャリアマイクロコントローラ（１３）は、前記固有キャリア識別子を前記電力供給装置（２）に送信して、該電力供給装置（２）が、前記固有キャリア識別子が前記少なくとも１つの参照キャリア識別子のうちの１つと一致するか否かを判定することで、前記認証結果を生成して、該認証結果を前記キャリア装置（１）に送信することができるようにさせるよう構成されている、ことを特徴とする請求項６に記載のシステム（１００）。
【請求項８】
前記キャリアマイクロコントローラ（１３）は、前記少なくとも１つの参照キャリア識別子に関連付けられるデータに対する要求を前記電力供給装置（２）に送信して、前記電力供給装置（２）が、前記記憶媒体（２２）内に記憶される前記少なくとも１つの参照キャリア識別子を前記キャリア装置（１）に送信することができるようにするよう構成されており、
また、前記キャリアマイクロコントローラ（１３）は、前記電力供給装置（２）から前記少なくとも１つの参照キャリア識別子を受信してから、前記キャリア装置（１）の前記固有キャリア識別子が、前記少なくとも１つの参照キャリア識別子のうちの１つと一致するか否かを判定して、前記認証結果を生成するよう構成されている、ことを特徴とする請求項６に記載のシステム（１００）。
【請求項９】
前記キャリアマイクロコントローラ（１３）は、前記認証が成功したと判定された際、電力供給指令を前記電力供給装置（２）に送信して、前記電力供給装置（２）の前記バッテリーマイクロコントローラ（２３）が電気エネルギーを前記キャリア装置（１）に供給できるようにさせるよう構成されている、ことを特徴とする請求項６に記載のシステム（１００）。
【請求項１０】
前記キャリア装置（１）は、前記キャリアマイクロコントローラ（１３）に電気的に接続される電力コントローラ（１２）を更に備えており、
前記キャリアマイクロコントローラ（１３）は、前記電力供給装置（２）の前記認証が成功したと判定された際には、前記電力コントローラ（１２）を制御して前記キャリア装置（１）と前記電力供給装置（２）との間に電気的接続を構築して、前記バッテリーマイクロコントローラ（２３）が、前記バッテリー（２１）を制御し該キャリア装置（１）と該電力供給装置（２）との間の前記電気的接続を介して、電気エネルギーを該キャリア装置（１）に供給できるようにさせるよう構成されている、ことを特徴とする請求項６に記載のシステム（１００）。
【発明の詳細な説明】
【技術分野】
【０００１】
（関連する出願の相互参照）
本出願は、２０１８年３月９日に出願された台湾特許出願第１０７１０８１４０号の優先権を主張するものである。
【０００２】
本発明は、認証方法及び認証システムに関し、特にバッテリー電力供給のための認証方法及び認証システムに関する。
【背景技術】
【０００３】
台湾実用新案登録Ｍ３８１５４７に開示される充電器を備えた、従来の電気自動車両（ＥＶ）では、そのバッテリーの盗難を防止する機構が欠けており、該バッテリーがもし盗まれれば他のＥＶに盗用される恐れがある。また、模倣品のバッテリーが知らずにＥＶに使われてしまい、該ＥＶの運転安全性に対する懸念が生じることもある。
【発明の概要】
【発明が解決しようとする課題】
【０００４】
そこで、本発明の目的は、従来技術の少なくとも１つの欠点を解消できる、バッテリー電力供給のための認証方法、及びバッテリー電力供給のための認証システムを提供することにある。
【課題を解決するための手段】
【０００５】
本開示の1つの態様によれば、バッテリー電力供給のための認証方法は、キャリア装置により実行され、そして前記キャリア装置は、固有キャリア識別子に対応し、キャリアマイクロコントローラを備え、且つ電力供給装置と通信可能である。前記電力供給装置は、少なくとも１つのキャリア装置に対応する、少なくとも１つの参照キャリア識別子を記憶している。該認証方法は、
（Ａ）キャリアマイクロコントローラにより、前記キャリア装置の前記固有キャリア識別子と、前記電力供給装置内に記憶されている前記少なくとも１つの参照キャリア識別子と、に関連する認証結果に基づいて、該電力供給装置の認証が成功したか否かを判定するステップと、
（Ｂ）前記キャリアマイクロコントローラにより、前記電力供給装置の前記認証が成功したと判定された際、前記キャリア装置を制御して、前記電力供給装置が提供する電気エネルギーを利用して作動するようにするステップと、を含んでいる。
【０００６】
本開示の他の１つの態様によれば、バッテリー電力供給のための認証システムは、キャリア装置と電力供給装置とを備えている。前記キャリア装置は、固有キャリア識別子に対応し、且つキャリアマイクロコントローラを具えている。前記電力供給装置は、前記キャリア装置と通信可能であり、且つ、電気エネルギーを提供するよう構成されるバッテリーと、少なくとも１つのキャリア装置に対応する少なくとも１つの参照キャリア識別子を記憶するよう構成される記憶媒体と、前記バッテリーと前記記憶媒体とに電気的に接続されるバッテリーマイクロコントローラと、を備えている。前記キャリアマイクロコントローラは、前記キャリア装置の前記固有キャリア識別子と、前記電力供給装置の前記記憶媒体内に記憶されている前記少なくとも１つの参照キャリア識別子と、に関連する認証結果に基づいて、該電力供給装置の認証が成功したか否かを判定すると共に、前記電力供給装置の前記認証が成功したと判定された際、前記キャリア装置を制御して、前記電力供給装置が提供する電気エネルギーを利用して作動するよう構成されている。
【０００７】
本発明の他の特徴および利点は、添付の図面を参照する以下の実施形態の詳細な説明において明白になるであろう。
【図面の簡単な説明】
【０００８】
【図１】本開示に係るバッテリー電力供給のための認証システムの、第１の実施形態を示すブロック図である。
【図２】本開示に係るバッテリー電力供給のための認証方法の、第１の実施形態を示すフローチャートである。
【図３】本開示に係るバッテリー電力供給のための認証方法の第１の実施形態における、電力供給装置の認証が成功したか否かを判定するサブステップを示すフローチャートである。
【図４】本開示に係るバッテリー電力供給のための認証システムの、第２の実施形態を示すブロック図である。
【図５】本開示に係るバッテリー電力供給のための認証方法の、第２の実施形態を示すフローチャートである。
【図６】本開示に係るバッテリー電力供給のための認証方法の第２の実施形態における、電力供給装置の認証が成功したか否かを判定するサブステップを示すフローチャートである。
【発明を実施するための形態】
【０００９】
本発明をより詳細に説明する前に、適切と考えられる場合において、符号又は符号の末端部は、同様の特性を有し得る対応の又は類似の要素を示すために各図面間で繰り返し用いられることに留意されたい。
【００１０】
図１を参照すると、本開示に係るバッテリー電力供給のための認証システム１００の第１の実施形態を示すブロック図が示されている。認証システム１００は、キャリア装置１と電力供給装置２とを備えている。
【００１１】
キャリア装置１は、固有キャリア識別子に対応し、且つキャリアマイクロコントローラ１３を備えている。本実施形態において、キャリア装置１は、車またはオートバイとして実施されているが、該キャリア装置１の実施は、本開示に制限されず、他の実施形態において変更されてもよい。本実施形態において、キャリアマイクロコントローラ１３は、車両制御ユニット（ＶＣＵ）として実施されており、本開示に制御されず、他の実施形態に変更されてもよい。
【００１２】
電力供給装置２とキャリア装置１は、コントローラーエリアネットワーク（ＣＡＮ、ＣＡＮ  ｂｕｓとも知られている）を介して互いに通信できる。電力供給装置２は、バッテリー２１と、記憶媒体２２と、バッテリーマイクロコントローラ２３とを備えている。
【００１３】
バッテリー２１は、電気エネルギーを提供するよう構成されている。記憶媒体２２は、少なくとも１つのキャリア装置に対応する、少なくとも１つの参照キャリア識別子を記憶するよう構成されている。前記少なくとも１つの参照キャリア識別子に対応する前記少なくとも１つのキャリア装置は、電気エネルギーの供給（少なくとも例えば、モーターの稼動といった運転に関する機能面に対する供給）のためにバッテリー２１の使用が許可されたものであってもよい。バッテリーマイクロコントローラ２３は、バッテリー２１と記憶媒体２２とに電気的に接続されている。本実施形態において、記憶媒体２２及びバッテリーマイクロコントローラ２３は、共にバッテリーマネジメントシステム（ＢＭＳ）として実施されているが、それらの実施は、本開示に制限されず、他の実施形態において変更されてもよい。
【００１４】
キャリアマイクロコントローラ１３は、キャリア装置１の前記固有キャリア識別子と、電力供給装置２内に記憶されている前記少なくとも１つの参照キャリア識別子と、に関連する認証結果に基づいて、該電力供給装置２の認証が成功したか否かを判定するよう構成されている。また、キャリアマイクロコントローラ１３は、電力供給装置２の前記認証が成功したと判定された際、キャリア装置１を制御して、該電力供給装置２が提供する電気エネルギーを利用して作動するよう、構成されている。具体的に言うと、キャリアマイクロコントローラ１３は、前記固有キャリア識別子を電力供給装置２に送信して、該電力供給装置２が、前記固有キャリア識別子が前記少なくとも１つの参照キャリア識別子のうちの１つと一致するか否かを判定することで、前記認証結果を生成して、該認証結果をキャリア装置１に送信することができるようにさせるよう、構成されている。それからキャリアマイクロコントローラ１３は、受信した前記認証結果に基づいて、電力供給装置２の前記認証が成功したか否かを判定する。キャリアマイクロコントローラ１３は、前記認証結果が、前記固有キャリア識別子が前記少なくとも１つの参照キャリア識別子のうちの１つと一致することを指示する、または前記認証が成功したことを指示する際に、電力供給装置２０の前記認証が成功したと判定し、そして、前記認証結果が、前記固有キャリア識別子が前記少なくとも１つの参照キャリア識別子のうちのいずれの１つとも一致しないことを指示する、または前記認証が失敗したことを指示する際に、前記電力供給装置の前記認証が成功していないと判定する。キャリアマイクロコントローラ１３は、電力供給装置２の前記認証が成功したと判定された際、電力供給指示を該電力供給装置２に送信すると共に、電力供給装置２のバッテリーマイクロコントローラ２３がバッテリー２１を制御して、電気エネルギーをキャリア装置１に供給するよう、構成されている。
【００１５】
図２を参照すると、本開示に係るバッテリー電力供給のための認証方法の第１の実施形態が図示されている。該認証方法の第１の実施形態は、前述の認証システム１００の第１の実施形態によって実施される。該認証方法は、後述のステップ６１〜ステップ６５を含む。
【００１６】
ステップ６１において、キャリアマイクロコントローラ１３は、キャリア装置１の前記固有キャリア識別子と、電力供給装置２内に記憶されている前記少なくとも１つの参照キャリア識別子と、に関連する認証結果に基づいて、該電力供給装置２の認証が成功したか否かを判定する。電力供給装置２の前記認証が成功したとキャリアマイクロコントローラ１３が判定した際、手順の流れはステップ６２に進むことになり、さもなくば、流れはステップ６４に進むことになる。
【００１７】
図３を参照すると、ステップ６１は以下のサブステップ６１１〜サブステップ６１５を含む。
【００１８】
サブステップ６１１において、キャリアマイクロコントローラ１３は、キャリア装置１の前記固有キャリア識別子を電力供給装置２に送信する。
【００１９】
サブステップ６１２において、電力供給装置２のバッテリーマイクロコントローラ２３は、前記固有キャリア識別子が、該電力供給装置２の記憶媒体２２内に記憶されている前記少なくとも１つの参照キャリア識別子のうちの１つと一致するか否かを判定する。バッテリーマイクロコントローラ２３により、キャリア装置１の前記固有キャリア識別子が、電力供給装置２の記憶媒体２２内に記憶されている前記少なくとも１つの参照キャリア識別子のうちの１つと一致すると判定した際、手順の流れはサブステップ６１３に進むことになる。さもなくば、バッテリーマイクロコントローラ２３により、前記固有キャリア識別子が、電力供給装置２の記憶媒体２２内に記憶されている前記少なくとも１つの参照キャリア識別子のいずれとも一致しないと判定した際、流れはサブステップ６１４に進むことになる。
【００２０】
サブステップ６１３において、バッテリーマイクロコントローラ２３は、電力供給装置２の前記認証が成功したことを指示する前記認証結果を生成し、そして該認証結果をキャリア装置１に送信する。それから手順の流れはサブステップ６１５に進むことになる。
【００２１】
サブステップ６１４において、バッテリーマイクロコントローラ２３は、電力供給装置２の前記認証が失敗したことを指示する認証結果を生成し、そして該認証結果を送信する。それから手順の流れは、サブステップ６１５に進むことになる。
【００２２】
サブステップ６１５において、バッテリーマイクロコントローラ２３は、前記認証結果に基づいて、電力供給装置２の前記認証が成功したか否かを判定する。キャリアマイクロコントローラ１３は、前記認証結果が電力供給装置２の前記認証が成功したことを指示する際に、電力供給装置２の前記認証が成功したと判定し、それから手順の流れはステップ６２に進む。一方、キャリアマイクロコントローラ１３は、前記認証結果が電力供給装置２の前記認証が失敗したことを指示する際に、電力供給装置２の前記認証が成功していない、即ち失敗したと判定し、それから手順の流れはステップ６４に進む。
【００２３】
ステップ６２において、キャリアマイクロコントローラ１３は、電力供給指示を生成して該電力供給指示を該電力供給装置２に送信すると共に、該電力供給装置２のキャリア装置１への電気エネルギーの供給を可能にする。ステップ６３において、前記電力供給指示を受信した後、バッテリーマイクロコントローラ２３は、バッテリー２１を制御して電気エネルギーをキャリア装置１に供給する。よって、キャリアマイクロコントローラ１３は、キャリア装置１を制御して、電力供給装置２が提供する電気エネルギーを使用して作動するようにする。
【００２４】
ステップ６４において、キャリアマイクロコントローラ１３は、不供給指示を生成して該不供給指示を該電力供給装置２に送信すると共に、該電力供給装置２のキャリア装置１への電気エネルギーの供給を防止する。
【００２５】
ステップ６５において、前記不供給指示を受信した後、バッテリーマイクロコントローラ２３は、バッテリー２１のキャリア装置１への電気エネルギーの供給をやめさせる。
【００２６】
図４を参照すると、本開示に係るバッテリー電力供給のための認証システム１００の第２の実施形態が図示されている。この第２の実施形態は前記第１の実施形態とは類似するが、以下に説明する部分が前記第１の実施形態と異なっている。
【００２７】
該第２の実施形態のキャリア装置１は、キャリアマイクロコントローラ１３に電気的に接続される電力コントローラ１２を更に備えている。
【００２８】
キャリアマイクロコントローラ１３は、前記少なくとも１つの参照キャリア識別子に関連付けられるデータに対する要求を電力供給装置２に送信して、該電力供給装置２が、記憶媒体２２内に記憶される前記少なくとも１つの参照キャリア識別子をキャリア装置１に送信することができるようにする、よう構成されている。また、キャリアマイクロコントローラ１３は、電力供給装置２から前記少なくとも１つの参照キャリア識別子を受信してから、キャリア装置１の前記固有キャリア識別子が、前記少なくとも１つの参照キャリア識別子のうちの１つと一致するか否かを判定して、前記認証結果を生成するよう構成されている。そして、キャリアマイクロコントローラ１３は、電力供給装置２の前記認証が成功したと判定された際には、該電力コントローラ１２を制御してキャリア装置１と該電力供給装置２との間に電気エネルギーを送るための電気的接続を構築して、バッテリーマイクロコントローラ２３が、バッテリー２１を制御し該キャリア装置１と該電力供給装置２との間の前記電気的接続を介して、電気エネルギーを該キャリア装置１に供給できるようにさせる、よう構成されている。
【００２９】
図５を参照すると、本開示に係る電池の電力供給のための認証方法の第２の実施形態が図示されている。この第２の実施形態は、前述の第２の実施形態の認証システム１００によって実施され、そしてステップ７１〜ステップ７３を含む。
【００３０】
ステップ７１において、キャリアマイクロコントローラ１３は、キャリア装置１の前記固有キャリア識別子と、電力供給装置２内に記憶されている前記少なくとも１つの参照キャリア識別子と、に関連する認証結果に基づいて、該電力供給装置２の認証が成功したか否かを判定する。キャリアマイクロコントローラ１３が電力供給装置２の前記認証が成功したと判定した際、手順の流れはステップ７２に進むことになり、さもなくば、手順の流れはステップ７２に進む。
【００３１】
図６を参照すると、ステップ７１は以下のサブステップ７１１〜ステップ７１４を含んでいる。
【００３２】
サブステップ７１１において、キャリアマイクロコントローラ１３は、前記少なくとも１つの参照キャリア識別子に関連付けられるデータに対する要求を、電力供給装置２に送信する。
【００３３】
ステップ７１２において、前記データに対する要求を受けた後、電力供給装置２は、該電力供給装置２の記憶媒体２２に記憶されている前記少なくとも１つの参照キャリア識別子を、キャリア装置１に送信する。
【００３４】
サブステップ７１３において、電力供給装置２から前記少なくとも１つの参照キャリア識別子を受信した後、キャリアマイクロコントローラ１３は、キャリア装置１の前記固有キャリア識別子が前記少なくとも１つの参照キャリア識別子のうちの１つと一致するか否かを判定すると共に、前記認証結果を生成する。キャリアマイクロコントローラ１３により、前記固有キャリア識別子が前記少なくとも１つの参照キャリア識別子のうちの１つと一致すると判定した際、手順の流れはサブステップ７１４に進む。さもなくば、キャリアマイクロコントローラ１３により、前記固有キャリア識別子が前記少なくとも１つの参照キャリア識別子のうちのいずれとも一致しないと判定した際、手順の流れはサブステップ７１５に進む。
【００３５】
サブステップ７１４において、キャリアマイクロコントローラ１３は、電力供給装置２の前記認証が成功したことを指示する前記認証結果を生成し、そして手順の流れはサブステップ７１６に進む。
【００３６】
サブステップ７１５において、キャリアマイクロコントローラ１３は、電力供給装置２の前記認証が失敗したことを指示する前記認証結果を生成し、そして手順の流れはサブステップ７１６に進む。
【００３７】
サブステップ７１６において、キャリアマイクロコントローラ１３は、前記認証結果に基づいて、電力供給装置２の前記認証が成功したか否かを判定する。キャリアマイクロコントローラ１３は、前記認証結果が電力供給装置２の前記認証が成功したことを指示する際に、該電力供給装置２の前記認証が成功したと判定し、そして手順の流れはステップ７２に進む。一方、キャリアマイクロコントローラ１３は、前記認証結果が電力供給装置２０の前記認証が失敗したことを指示する際に、電力供給装置２０の前記認証が成功していない、即ち失敗したと判定し、それから手順の流れはステップ７３に進む。
【００３８】
ステップ７２において、キャリアマイクロコントローラ１３は、電力コントローラ１２を制御してキャリア装置１と電力供給装置２との間に電気的接続を構築して、バッテリーマイクロコントローラ２３が、構築された前記電気的接続を介してバッテリー２１の電気エネルギーを該キャリア装置１に供給できるようにさせる。
【００３９】
ステップ７３において、キャリアマイクロコントローラ１３は、該電力コントローラ１２を制御して、キャリア装置１と該電力供給装置２との間に電気的接続を構築しないようにすると共に、バッテリーマイクロコントローラ２３が、構築された前記電気的接続を介してバッテリー２２の電気エネルギーを該キャリア装置１に供給することを防止する。
【００４０】
なお、ステップ７３の変化例において、キャリアマイクロコントローラ１３は、該電力コントローラ１２を制御して、キャリア装置１が電力供給装置２により提供される電気エネルギーを利用することができるようにすることができるが、ただしこの電気エネルギーは、モーターの作動以外の機能、例えば表示を行う部品のみに供給される。このように、キャリア装置１のユーザは、該キャリア装置１に表示される情報を読めるが、該キャリア装置１を運転することはできない。
【００４１】
総括すると、本開示に係る認証方法は、キャリア装置を利用して、該キャリア装置の固有キャリア識別子と電力供給装置内に記憶されている少なくとも１つの参照キャリア識別子とに関連付けられた認証結果に基づいて、前記電力供給装置の認証が成功したか否かを判定し、そして前記電力供給装置の前記認証が成功したと判定された際、前記キャリア装置を制御して、前記電力供給装置が提供する電気エネルギーを利用して作動するようにする。結論として、合法的なソースから取得した認証済みバッテリーのみが前記キャリア装置に使うことができ、そしてバッテリー盗難のリスクを減らして運転安全性を向上させることができる。
【００４２】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００４３】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2019187231.tif 000003
【図２】
2019187231.tif 000004
【図３】
2019187231.tif 000005
【図４】
2019187231.tif 000006
【図５】
2019187231.tif 000007
【図６】
2019187231.tif 000008
【外国語明細書】
2019187231000001.pdf